(57)【要約】【課題】単管パイプを利用した、物置等の構築においても、一般木造建築物同様、間仕切りとして利用できる胴縁取り付け用のクランプを提供する。【解決手段】単クランプに、胴縁が取り付けられるよう、ボルト穴、ビス穴を有するアングルを二つ、互いの穴を有する板面が、単管パイプ柱芯に対して、水平直角又は１８０°水平対向するよう取り付けたことを特徴とする、間仕切り用クランプ及びその構成部材。【選択図】図１
2013113083.tif 000002
【特許請求の範囲】
【請求項１】
単クランプのＬ字状をなす本体の、元々穴のあいている側の基本面と、基本面より直角に交わる側の側面との両面に、胴縁を取り付けられるよう、ボルト穴及びビス穴を有するアングル又はプレートが、互いの面より穴の有する面板を直角、かつ締め付けようとする単管パイプの軸方向に対して直角に取り付けたことを特徴とする、コーナー用間仕切りクランプ。
【請求項２】
単管パイプ以外の締め付けにも使用されるパイプバンドの外周面に、胴縁を取り付けられるよう、ボルト穴及びビス穴を有するアングル又はプレートの穴を有する面板が、締め付けようとする単管パイプの円芯に対して互いに直角になるよう、かつ単管パイプの軸方向に直角になるよう取り付けたことを特徴とする、コーナー用間仕切りクランプ。
【請求項３】
Ｌ字状をなすクランプ本体の穴のある基本面と、回転軸によって回転可能に取り付けられている円弧状の支持体に、胴縁を取り付けるためのボルト穴及びビス穴を有するアングル又はプレートが、互いに締め付けようとする単管パイプの軸方向と直角に、かつ二つの穴を有する面板が、円芯に対して１８０°対向するよう取り付けたことを特徴とする、中間柱用間仕切りクランプ。
【請求項４】
パイプバンドの外周面に、胴縁を取り付けるためのボルト穴及びビス穴を有するアングル又はプレートの板面が、取り付けようとする単管パイプの軸方向と直角に、かつ二つの板面が、円芯に対して１８０°対向するよう取り付けたことを特徴とする、中間柱用間仕切りクランプ。
【請求項５】
単クランプ本体の基本面から直角に交接している側面にも、穴を設けたことを特徴とする、二穴の単クランプ。
【請求項６】
請求項５記載の単クランプで、本体の基本面及び側面の両面の穴以外に、穴又はネジ穴を設けたことを特徴とする、単クランプ。
【請求項７】
請求項６記載の単クランプで、本体の基本面及び側面のボルト穴を囲むように、四つのやや小さなボルト穴又はネジ穴を設け、その穴の中心を結ぶ線上が正方形となり、二つの対角線の交点が、四つの穴が囲んでいるボルト穴の芯になるよう配設したことを特徴とする、単クランプ。
【請求項８】
請求項７記載の単クランプ本体の、基本面、側面いずれかに、ボルトで取り付けられるよう、クランプの穴と同位置に穴を有するプレートの一端に、胴縁を取り付けるための、ボルト穴、ビス穴を有する底面と、前記記載の穴を有するプレートに取り付けるための返し面からなるアングルの、返し面の側端を直角になるよう取り付けたことを特徴とする、折り返しプレート。
【請求項９】
単クランプの基本面の穴に取り付けられるよう、同位置にボルト穴を有するＬ字状又はコの字状のプレートからなる取り付け側面のいずれかに、胴縁等を取り付けるためのボルト穴、ビス穴を有するプレートを、互いの面に水平直角になるよう、一つ又は複数取り付けたことを特徴とする、単穴プレート。
【請求項１０】
請求項９記載の単穴プレートにおいて、取り付けようとする単クランプの上又は下、又は上及び下のリブ面に、一定の長さで接触する回転防止手段を取り付けたことを特徴とする、単穴プレート。
【発明の詳細な説明】
【技術分野】
【０００１】本発明は、建設工事等で使用される単管クランプに関するものである。
【背景技術】
【０００２】従来、単管パイプに垂木を取り付ける物として垂木クランプがある。
それは、単クランプに、垂木を取り付けるためのビス穴を有する一つのアングルが、単クランプのいずれかに、溶接、かしめ等の手段で取り付けられた物である。【０００３】それらを用いて、物置等建物の壁を構築する場合、垂木は通常（壁から室内側を内側、室外側を外側とした場合）、単管パイプ柱の外側に取り付けられる。そこにトタン板等を釘止めすれば、風雨をしのぐ建物が簡単にできあがる。【０００４】ところが、トタン板等外壁の取り付けについては問題ないが、内壁にベニヤ板や石膏ボード等を張ろうとした場合、張ったトタン板と対向する内壁側に張ろうとすると、クランプ及び単管パイプ柱が壁内におさまらず露出してしまう。【０００５】パイプやクランプを壁内におさめようとすれば、トタン板を取り付けた垂木の他に、もう一つ新たに、垂木クランプを用いて、クランプのアングルを内側に向け取り付け、そこにまた垂木を取り付け、その垂木の内側に内壁のベニヤ板や石膏ボードを張ると言うことになる。【０００６】しかしながら、その場合、壁巾すなわち、トタン板内ずらからベニヤ板等の内ずらまでが１５ｃｍ以上にもなってしまう。
面積的には、その分、室内が狭くなる。コスト面では、垂木クランプと垂木が倍の数だけいると言うことになる。【０００７】以上のように、内壁まで形成したいと言うことになれば、やはり一般木造住宅と同様に、柱と壁を同一縦平面にしたいと言うことになる。
とすれば、柱と柱の間に、垂木を配設し、その横にヌキ板等を縦に張る。または化粧材を受ける水平材、すなわち横胴縁を配設すればよい訳である。つまり、間仕切りにする訳である。【０００８】そこで、垂木クランプを間仕切りに使用しようとすれば、単管パイプ柱から壁方向に垂木クランプのアングルを向けて取り付けるわけであるが、従来、直交クランプや３連クランプを除き単管パイプ用の垂木クランプ用のアングルは一つである。一スパンの横胴縁（以下、胴縁と称する。）の取り付けはできる。【０００９】取り付けた柱間の隣の柱間も胴縁を付けようとすれば、胴縁の取り付いた垂木クランプの上か下に、もう一つ垂木クランプを、そのアングルの向きを取り付けている垂木クランプのアングルと反対方向に取り付ければ、隣の柱間も胴縁は取り付けられる。【００１０】垂木クランプによっては、アングルの穴のあいた板面が、クランプの天端ではなく、天端より少し下がった所に付いている物もある。
その場合は、胴縁の高さが柱間と柱間で合わなくなる。そういう場合、外壁や内壁のトタン板やベニヤ板等の釘止め高さの位置も合わせずらくなる。これはたいした問題ではないが、サッシ等の高さが合わないとなると、見たくれが悪く問題がある。【００１１】以上のような欠点も物によって生じてくるが、
コスト面ではクランプが一箇所で二ついるというのは、はなはだ不経済である。【００１２】今までは柱間について説明してきたが、コーナー角部分も同じことである。
単管パイプを柱に用い、垂木クランプを用いて間仕切りをしようとする考えがなかったとすれば、当然の事と言えば当然の事と言える。【００１３】一方、従来の垂木クランプに取り付けられている、垂木取り付け用のビス穴を有するアングルについてであるが、その穴のあいた板面の外出する長さは３２ｍｍないし３８ｍｍである。
垂木は、そのアングルに横流しするわけであるから当然であるが、間仕切りで使用するとすれば、その長さでは短い。胴縁を、長手方向で受けるようになるため５０ｍｍ以上は必要だと思われる。【００１４】また、ビス穴についても従来のように、穴が締め付けようとする単管パイプに近いと、ドリルを用いてビスを打ち込む場合、ドリルとパイプがぶつかり、ビスがまっすぐ入らない場合もよくある。【００１５】その他、垂木クランプのような物で、垂木、胴縁等を取り付けるためのアングル他を、一つのクランプに対して複数有する物も特許文献に見られるが、後述、図面を参照して説明する。
【先行技術文献】
【００１６】
【特許文献１】特開平１０−２５２１５０
【発明の概要】
【発明が解決しようとする課題】
【００１７】従来、垂木クランプを用いて、外壁の構築は容易にできるが、内壁の構築まで行うとなると、多様な問題がある。
本発明の課題は、単管パイプ柱に取り付けて、一般木造建築同様に、外壁内壁を簡単単純に構築する単管クランプを作る事である。
【課題を解決するための手段】
【００１８】本発明においては、単クランプに、胴縁を取り付けるためのビス穴、ボルト穴を有するアングル又はプレートを複数取り付け、壁の中間柱、コーナー柱においても、胴縁がクランプ一つで複数取り付けられるように、また、胴縁を受ける板面も十分な長さをもたせるようにした。
【発明の効果】
【００１９】本発明のクランプを用いる事によって、次のような効果が生まれる。
（ａ）、一つのクランプで、間仕切りの場合においても、複数の胴縁取り付けが可能となる。
（ｂ）、単管パイプ柱を中心とし、一般木造建築同様９０〜１２０ｍｍ程度の壁巾で一定縦平面が形成でき、中間に断熱材をはさんで、その外部にトタン板、サイディング等、内部にベニヤ板、石膏ボード等の張り付けも容易にできるようになる。
（ｃ）、胴縁の高さも、建物全体同一高さ（レベル）に配設でき、サッシ窓等の高さのズレも生じなくなる。
（ｄ）、コスト面においても、内壁まで形成しようとすれば有効である。
【図面の簡単な説明】
【００２０】
【図１】コーナー用間仕切りクランプ１の斜視図である。（実施例１）
【図２】中間柱用間仕切りクランプ２の平面図である。（実施例１）
【図３】コーナー柱用間仕切りクランプ３の平面図である。（実施例１）
【図４】中間柱用間仕切りクランプ４の平面図である。（実施例１）
【図５】クランプ本体内部の、供回り防止手段を示す説明図である。（実施例２）
【図６】多孔クランプ６の斜視図である。（実施例２）
【図７】折り返しプレート７の斜視図である。（実施例２）
【図８】スペーサー８の斜視図である。（実施例２）
【図９】多孔クランプ６に、折り返しプレート７、取り付けアングル９を取り付けるための説明図である。（実施例２）
【図１０】従来の単クランプに、取り付け用単穴プレート９０を取り付けるための説明図である。（実施例２）
【図１１】従来技術の実施例を示す斜視図である。
【図１２】単クランプ外寸法を示す説明図である。（実施例１，３）
【発明を実施するための形態】
【実施例１】
【００２１】図１は、本発明におけるコーナー用間仕切りクランプの斜視図である。クランプ１は従来の単クランプに、Ｌ字状で形成されているクランプ本体１０の、元々穴を有する側の基本面１０１、そこから直交する側面１０２に、胴縁等を取り付けるためのボルト穴１３２，１４２、ビス穴１３３，１４３を有するアングル１３，１４を、クランプ本体１０より外出する穴を有する板面１３１，１４１が、クランプ本体１０より直角に、単管パイプ柱の軸方向に対して直角になるよう、溶接他の手段を用いて取り付けたものである。
（以上、請求項１記載）【００２２】一方、前述記載のように、従来の垂木クランプは、胴縁を取り付けるための有孔板面がクランプより外出する長さは３２〜３８ｍｍとなっている。垂木をそこに横流しするには十分であるが、間仕切りとして３２〜３８ｍｍの長さで胴縁を受けるには十分とはいえない。本発明における、この胴縁を受ける板面の長さは、安全面、施工面からも、５０ｍｍ以上は必要と考える。【００２３】図３のクランプは、クランプの代わりにパイプバンドを利用した、本発明におけるコーナー用間仕切りクランプ３の平面図であるが、クランプ３は、パイプバンドのボルト３３を取り付けるためのボルト穴を有する半円周上の支持体３１と、回転軸３０によって回転可動に取り付けられた、ボルト３３を取り付けるためのネジ穴を有する半円周上の支持体３２からなり、胴縁等を取り付けるためのボルト穴３１２，３２２、ビス穴３１３，３２３を有するプレート３１１，３２１を支持体３１，３２に、互いのプレート３１１，３２１が単管パイプ柱芯に対して互いに直角、柱の軸方向に対して直角になるよう溶接他の手段を用いて取り付けたものである。
一方、プレートの代わりにアングルでもよい。（以上、請求項２記載）【００２４】この構成により、クランプ１及びクランプ３を用いることで、直角二方向からくる二つの胴縁が、間仕切りとして、クランプ一つで取り付け可能となる。
付け加えて述べると、間仕切り側と反対向き（１８０°反転）に取り付けた場合、従来の取り付け方のように、単管パイプ柱の外側に垂木を取り付ける場合の、コーナー用垂木クランプとなる。【００２５】パイプバンドを利用したクランプ３は、建物以外、棚や机等の製作においても、構造が単純であるため施工面等で長所を有す。【００２６】図２は、本発明における中間柱用間仕切りクランプ２の平面図であるが、クランプ２はクランプ１とやや形状が異なる、本体がやや開いた形のＬ字状をなす従来の単クランプの、元々ボルト穴を有する側の基本面２１１と、回転軸２２によって回転可動に取り付けられた支持体２０に、胴縁を取り付けるためのボルト穴２３２，２４２、ビス穴２３３，２４３を有するアングル２３，２４を、穴を有する板面２３１，２４１が互いに単管パイプ柱をはさんで１８０°対向し、水平になるよう、溶接他の手段を用いて取り付けたものである。（以上、請求項３記載）【００２７】図４は、パイプバンドを利用した、本発明における中間柱用間仕切りクランプ４の平面図であるが、クランプ４はクランプ２同様、パイプバンドにプレートを取り付けたものであるが、胴縁を取り付けるためのボルト穴４１２，４２２、ビス穴４１３，４２３を有するプレート４１１，４２１を半円周上の支持体４１，４２に、互いに単管パイプ柱をはさんで１８０°対向し、水平になるよう、溶接他の手段を用いて取り付けたものである。
一方、プレートの代わりにアングルでもよい。（以上、請求項４記載）【００２８】以上、クランプ２，４を用いることで、中間柱の両側に配設される二つの胴縁を、一つのクランプで、間仕切りとして取り付けることが可能となる。【００２９】前述してきたように、これらの方法で、柱間を上から下まで胴縁を取り付けていけば、単管パイプ柱芯に対して、ある一定の巾で同一縦平面が形成できる。【００３０】単クランプ外寸法を示した図１２を参照して説明すると、
パイプを締めた状態で、クランプの外寸、Ｘ１〜Ｘ２、Ｙ１〜Ｙ２の巾は約８５ｍｍとなる。たとえば、クランプの基本面を全て同じ向き（外側または内側）に取り付ければ、９０ｍｍ、木造建築で言う３寸の巾で、胴縁が一定の巾でおさまり、パイプもクランプも、その壁の中におさまり、壁の外に露出することはない。
巾を１０５ｍｍ、木造建築で言う３寸５分とすれば、余裕をもっておさまる。【００３１】これによって、胴縁の外側にトタン板やサイディング、内側にベニヤ板や石膏ボード等を張るなど、一般木造住宅と同様な施工が行える。断熱材も当然壁内に入る。【００３２】また、前述済みであるが、胴縁全体が一定の高さで取り付けられるため、胴縁の上にサッシ窓を乗せても、高さのズレは生じない。
【実施例２】
【００３３】図６は、本発明における多孔クランプ６の斜視図であるが、
クランプ本体の、元々穴を有する側の基本面と交接する側面が、直角である単クランプとしたものである。
基本面は、元々ボルト穴６３１を有するが、側面にもボルト穴６４１を配孔し、基本面に６３２、側面に６４２のネジ穴を配孔したものである。（以上、請求項５及び請求項６記載）【００３４】この多孔クランプ６は、取り付け部材によって、多様に利用できるのも特徴であるが、クランプと別の物を取り付ける場合、クランプ内側から、ネジ穴にネジを利用せず、ビス止めするなど、他の使い道もある。【００３５】図７は、本発明における折り返しプレート７の斜視図であるが、
プレート側面７１には、クランプ６の側面に取り付けられるよう、ボルト穴７１１，７１２が、６４１，６４２と同位置に配孔されている。その側面７１から水平直角方向に交接する返し面７２を形成し、その返し面７２から鉛直直角方向に、胴縁を取り付けるためのボルト穴７３１、ビス穴７３２が配孔された底面を形成したものである。
（以上、請求項８記載）【００３６】図８は、本発明におけるスペーサー８の斜視図であるが、
折り返しプレート７の側面７１のボルト穴７１１，７１２と同位置に配孔された穴を有する座金のようなものである。
クランプ６と折り返しプレート７が、平行に取り付けられるよう、クランプ６の側面６４よりふくれでた形の回転軸遠離起伏部６４０に接触しないよう、一定の厚みを持たせたスペーサーである。【００３７】図９は、スペーサーをはさんで、クランプ６の側面６４に、折り返しプレート７を取り付け、クランプ６の基本面にアングル９を取り付けたところの説明図である。
取り付けアングル９は、底面９１に、胴縁を取り付けるためボルト穴９１１、ビス穴９１２を配孔し、クランプ６の基本面６３に取り付ける側の側面９２には、クランプ６の基本面６３のボルト穴６３１、ネジ穴６３２と同位置に、ボルト穴９２１、小さなボルト穴９２２を配孔したものである。【００３８】この構成により、多孔クランプ６の側面に、スペーサー８をはさんで、折り返しプレート７を取り付ければ、間仕切り用クランプ２，４とは別の形式の中間柱用間仕切りクランプとなる。【００３９】図９では、小さなボルト穴９２２の四つの穴のうち、ボルトを利用するのは、クランプ６本体の基本面６３のネジ穴６３２と同位置に開いた二つであるが、
ここで、取り付け部材の応用例を説明すると、
クランプ６のボルト穴６３１，６４１、ネジ穴６３２，６４２、折り返しプレート７のボルト穴７１１，７３１、小さなボルト穴７１２、ビス穴７３２、アングル９のボルト穴９１１，９２１、ビス穴９１２、小さなボルト穴９２２、スペーサー８のボルト穴８１１、小さなボルト穴８１２のボルト穴、ビス穴を全て同位置に統一し、
さらに、図８を参照して説明すると、
その大きなボルト穴（６３１，６４１，７１１，７３１，８１１，９１１，９２１）を中心に、ボルト穴を囲む四つのビス穴、小さなボルト穴の芯を結ぶ線が、正方形となり、その対角線の交点が、ボルト穴の芯となるよう配孔した場合、ボルトの入らない空穴ができたとしても、
図９においては、アングルのどちらの面でもクランプ６に取り付けられ、図６における基本面６３、側面６４でも取り付けられ、部材が共用でき有利である。（以上、請求項７記載）【００４０】さらに、クランプ６の基本面にアングル９を、側面にスペーサー８をはさんで、折り返しプレート７を、そこにまたアングル９を取り付ければ、三方間仕切りクランプとなる。【００４１】ここまで、クランプに取り付ける部分の穴以外は、胴縁を取り付けるためのボルト穴、ビス穴として説明してきたが、前述の穴の配設により、一例を示すと、アングル９を用いて、クランプ６を二つ取り付けることができる。
また、クランプ６の基本面６３、側面６４のどちらの面にも取り付けられる。アングル９は、上下どちらの向きでも、左右どちらの向きでも取り付けられる。
同様に、折り返しプレート７の底面７３にも取り付けられる。【００４２】以上のように、クランプと胴縁の接合以外においても、クランプとクランプの多彩な組み合わせが可能となった。【００４３】さらに、一例を示すと、クランプとクランプの間を、胴縁等角材で間仕切る他に、この多孔クランプ６と取り付け部材の組み合わせにより、単管パイプ柱の間を単管パイプを用いて間仕切ることができ、ところによって、強度が必要な場合には有効な手段となる。【００４４】以上の説明のように、多孔クランプ６は、従来の単クランプに、穴もしくは、ネジ穴を設けたものであるが、新たなアングルを固着したクランプを作らずとも、取り付けアングル等の組み合わせにより、前述の間仕切りクランプ１〜４と同様の目的を果たすクランプとなり、共通部品が使える、市販品が使える等、コスト面での利点も大いに有する。【００４５】図５は、クランプ６から、アングル、プレートを取り付けるための説明断面図であるが、ボルト穴の有する面５１に、ボルト５の供回り防止手段５２を取り付けたところの図である。これは、スプリングワッシャー等の使用によっては必要がなくなる。【００４６】一方、クランプ６のボルト穴をネジ穴にする。または、ナットを溶接してもよい。
また、逆に、プレート７、アングル９の穴をネジ穴とし、クランプ内からボルト締めするようにしてもよい。【００４７】図１０は、従来の単クランプと、本発明における、取り付け用単穴プレート９０を取り付けるための説明図である。この場合、三方向の胴縁を取り付けようとするものであるが、単穴プレート９０は、単クランプが取り付けられるよう、単クランプに元々あいている穴と同様な穴を有するコの字状に形成された取り付け側面９１０に、胴縁が取り付けられるようボルト穴９０４、ビス穴９０５を有するプレート９００を、締め付けようとする単管パイプ柱の軸方向と直角に、互いの面に直角になるよう取り付けたものである。
（以上、請求項９記載）【００４８】回転防止手段９０２は、この場合、単クランプとの取り付けは、ボルト一本であるため、ボルトに対して、左、右回り方向の回転によるズレを防止するもので、単クランプの上面又は下面、又は上下両面に、一定の長さを持って接触するよう、取り付け側面９１０に取り付けたものである。（以上、請求項１０記載）【００４９】補助穴９０３は、その穴９０３から単クランプに、ドリルビスを用いて穴あけ固定する場合等のためのビス穴である。【００５０】ここまで、三方向からの胴縁の取り付けについて説明してきたが、
１８０°対向する二つの胴縁を取り付ける場合は、対向する二方向のプレート（プレート９００）だけでよく、直角二方向の胴縁を取り付ける場合は、１８０°対向するプレート（プレート９００）のいずれかをはぶいたものか、その上の側面もはぶいた形の、取り付け側面９１０がＬ字状のものでもよい。
【実施例３】
【００５１】図１１は、先行技術文献、特許開平１０−２５２１５０における、コーナープレート１０００を、間仕切りの場合の取り付け方で示した説明図である。（特許文献１における図４の実施例参照）
Ｘ１〜Ｘ３，Ｙ１〜Ｙ３は胴縁の巾を示す線であるが、Ｘ３，Ｙ３より外部が大きく飛び出してしまう。その部分を切り捨てなければ、間仕切りとして使えない。元々、間仕切りとしての考案ではないため、当然と言えば当然である。【００５２】他に、本発明においては、胴縁を受ける部分の長さを十分にとるという点にも違いがある。
【符号の説明】
【００５３】１、                    コーナー用間仕切りクランプ
１０、                  クランプ本体
１１、                  クランプ支持体
１２、                  回転軸
１３，１４、            アングル
１０１、                本体基本面
１０２、                本体側面
１３１，１４１、        板面
１３２，１４２、        ボルト穴
１３３，１４３、        ビス穴
２、                    中間柱用間仕切りクランプ
２０、                  クランプ支持体
２１、                  クランプ本体
２２、                  回転軸
２３，２４、            アングル
２１１、                本体基本面
２３１，２４１、        板面
２３２，２４２、        ボルト穴
２３３，２４３、        ビス穴
３、                    コーナー用間仕切りクランプ
３０、                  回転軸
３１，３２、            支持体
３３、                  ボルト
３１１，３２１、        プレート
３１２，３２２、        ボルト穴
３１３，３２３、        ビス穴
４、                    中間柱用間仕切りクランプ
４０、                  回転軸
４１，４２、            支持体
４１１，４２１、        プレート
４１２，４２２、        ボルト穴
４１３，４２３、        ビス穴
５、                    ボルト
５１、                  面
５２、                  供回り防止手段
６、                    多孔クランプ
６０、                  クランプ本体
６１、                  支持体
６２、                  回転軸
６３、                  本体基本面
６４、                  本体側面
６３１，６４１、        ボルト穴
６３２，６４２、        ネジ穴
６４０、                回転軸遠離起伏部
７、                    折り返しプレート
７１、                  側面
７２、                  返し面
７３、                  底面
７１１，７３１、        ボルト穴
７１２、                ボルト穴
７３２、                ビス穴
８、                    スペーサー
８１１，８１２、        ボルト穴
９、                    取り付け用アングル
９１、                  底面
９２、                  側面
９１１，９２１、        ボルト穴
９１２、                ビス穴
９２２、                ボルト穴
９０、                  単穴プレート
９００、                プレート
９０１，９０４、        ボルト穴
９０２、                回転防止手段
９０３、                補助穴
９０５、                ビス穴
９１０、                取り付け側面
１０００、              コーナープレート
【図１】
2013113083.tif 000003
【図２】
2013113083.tif 000004
【図３】
2013113083.tif 000005
【図４】
2013113083.tif 000006
【図５】
2013113083.tif 000007
【図６】
2013113083.tif 000008
【図７】
2013113083.tif 000009
【図８】
2013113083.tif 000010
【図９】
2013113083.tif 000011
【図１０】
2013113083.tif 000012
【図１１】
2013113083.tif 000013
【図１２】
2013113083.tif 000014